(57)【要約】【課題】    本発明は展示品照明ＬＥＤランプを開示した。【解決手段】その中、前記設備は押圧バックル装置、回転調節装置、安定器取付ケース、ＬＥＤランプ取付モジュールを含み、前記ＬＥＤランプ取付モジュールにＬＥＤ電球を取り付けることができ、前記安定器取付ケースに安定器を置くことができ、前記ＬＥＤランプ取付モジュールを取付ベースの中に取り付けた後、前記押圧バックル装置が前記ＬＥＤランプ取付モジュールをロックし、同時に前記回転調節装置を利用してＬＥＤ電球の明かりを調節できる。【選択図】図１
2020145170.tif 000002
【特許請求の範囲】
【請求項１】
取付ベースを含み、前記取付ベースの中には下に開口した第一空間が設けられ、前記第一空間の中にＬＥＤランプ取付モジュールを取り付けることができ、前記第一空間の両端と前後両側には第一スライド溝が連通して設けられ、前記第一スライド溝には第二スライド溝が上へ貫通して設けられ、前記第二スライド溝と前記第一スライド溝との間には押圧バックル装置が設けられ、前記第一空間の一端には第二空間が連通して設けられ、前記第二空間の頂端には第三空間が設けられ、前記第三空間の頂端には第四空間が連通して設けられ、前記第四空間と前記第二空間との間には回転調節装置が設けられ、前記取付ベースの頂端には吸盤が固定的に設けられ、前記取付ベースの中の前記吸盤の片側には安定器取付ケースが設けられる；
ＬＥＤ電球をＬＥＤランプ取付モジュールの中に取り付けることができ、安定器を安定器取付ケースの中に取り付けることができ、ＬＥＤランプ取付モジュールが回転によりＬＥＤ電球の発光を制御し、押圧バックル装置がＬＥＤランプ取付モジュールをロックすることを特徴とする展示品照明ＬＥＤランプ。
【請求項２】
前記ＬＥＤランプ取付モジュールは第一ギヤを含み、前記第一ギヤの中にＬＥＤ電球を置くことができ、前記ＬＥＤ電球の両側には第三スライド溝が対称的に連通して設けられ、前記第三スライド溝が第一ばねと接続され、前記第三スライド溝の中には前記ＬＥＤ電球と当接する第一スライダがスライドできるように設けられ、前記第一ギヤの底端にガラスカバーを取り付けることができ、前記第一ギヤの底端には雌ねじが設けられ、前記ガラスカバーが雄ねじと前記雌ねじとの係合により前記第一ギヤの底端に接続されることができ、前記第一空間の頂端には前記ＬＥＤ電球と係合する押圧スイッチが設けられる；
ＬＥＤ電球を第一ギヤの中心のところに取り付けることができ、且つガラスカバーと係合してＬＥＤランプ取付モジュールを形成し、ＬＥＤランプ取付モジュールが第一空間に置いて押圧スイッチと係合することができることを特徴とする請求項１に記載の展示品照明ＬＥＤランプ。
【請求項３】
前記押圧バックル装置は前記第一スライド溝を含み、前記第一スライド溝の中には第二スライダがスライドできるように設けられ、前記第二スライダの一端が前記第一空間の中に挿入され、且つ前記第二スライダには弧形ブロックが固定的に設けられ、前記第二スライダの他端には第一永久磁石が固定的に設けられ、前記第一永久磁石と前記第一スライド溝との間には第二ばねが接続され、前記第二スライダ溝の中には押し棒がスライドできるように設けられ、前記押し棒の底端には前記第一永久磁石と互いに反発し合う第二永久磁石が固定的に設けられ、前記押し棒の片側にはばね復帰機構が設けられることを含む；
取付ベースが天井に吸着する時、押し棒が第一永久磁石と第二永久磁石を連動させて合わせて弧形ブロックを推し、これによりＬＥＤランプ取付モジュールをしっかり引っかからせることを特徴とする請求項１に記載の展示品照明ＬＥＤランプ。
【請求項４】
前記回転調節装置は前記第二空間を含み、前記第二空間と前記第三空間との間には第一回転軸が回転できるように設けられ、前記第二空間の中の前記第一回転軸には前記第一ギヤと噛み合う第二ギヤが固定的に設けられ、前記第三空間の中の前記第一回転軸にはカムが固定的に設けられ、前記第四空間の内壁の間には抵抗線が固定的に設けられ、前記抵抗線の中にはスライドガイドシートがスライドできるように設けられ、前記スライドガイドシートが前記カムと終始に接触し、前記スライドガイドシートの片側と前記第四空間との間には第三ばねが接続され、前記第四空間の頂面には前記スライドガイドシートと接触する通電接点が固定的に設けられ、前記押圧スイッチと前記通電接点との間には第一通電導線が電気的に接続され、前記抵抗線には第二通電導線が電気的に接続されることを含む；
ＬＥＤランプ取付モジュールの装着が完了した後、ガラスカバーを回転させて抵抗線の抵抗値を調節することによりＬＥＤ電球に流れる電流を制御し、これによりＬＥＤ電球の明かりの調節を実現することを特徴とする請求項１に記載の展示品照明ＬＥＤランプ。
【請求項５】
前記安定器取付ケースは前記取付ベースを含み、前記取付ベースの中には上に開口した第五空間が設けられ、前記第五空間の内壁の前後には電気端子が設けられ、前記第五空間の中には安定器を取り付けることができ、前記安定器と前記電気端子との間には第三通電導線が接続され、前記第五空間の片側には第六空間が連通して設けられ、前記第六空間の中には第二回転軸が回転できるように設けられ、前記第二回転軸の外にはケース蓋が固定的に設けられ、前記ケース蓋の末端には第三永久磁石が固定的に設けられ、前記第五空間のもう一側には前記第三永久磁石と互いに引き寄せ合う第四永久磁石が設けられ、前記吸盤の中心のところにはプラグが設けられ、前記プラグが第四通電導線を通じて前記電気端子と前記押圧スイッチとを接続することを含む；
安定器が電気端子に巻きつくことにより電流を安定させる作用を果たし、ケース蓋を閉めると取付ベースとともに天井に固定させることを特徴とする請求項１に記載の展示品照明ＬＥＤランプ。
【発明の詳細な説明】
【技術分野】
【０００１】
本発明はＬＥＤランプ分野を取り上げて、具体的には展示品照明ＬＥＤランプである。
【背景技術】
【０００２】
周知のように、芸能人又は商家などが展示品を展示する時はいつも展示ホールを設置することが必要であり、この類の展示ホールは展示品により差別化を図るように設置される必要があり、例えば、異なる明かりの調節など、また展示ホールでよく長時間に複数回の展示を行うことが多いので、固定的なＬＥＤランプを使うと、展示が終わった時に取り外す過程がすごく難しく、またＬＥＤランプを壊す可能性もある。
そのため、展示品照明ＬＥＤランプを設計することにより上記問題を解決することが必要であり、基本展示照明機能を実現するとともに、設備の汎用性が高く、取り外すことに便利である。
【先行技術文献】
【特許文献】
【０００３】
【特許文献１】中国特許出願公開第１０６２８７３７２号明細書
【発明の概要】
【発明が解決しようとする課題】
【０００４】
本発明は展示品照明ＬＥＤランプを提供し、従来技術における上記欠点を解消することを目的とする。
【課題を解決するための手段】
【０００５】
本発明は以下の技術プランにより実現される：  本発明の展示品照明ＬＥＤランプは取付ベースを含み、前記取付ベースの中には下に開口した第一空間が設けられ、前記第一空間の中にＬＥＤランプ取付モジュールを取り付けることができ、前記第一空間の両端と前後両側には第一スライド溝が連通して設けられ、前記第一スライド溝には第二スライド溝が上へ貫通して設けられ、前記第二スライド溝と前記第一スライド溝との間には押圧バックル装置が設けられ、前記第一空間の一端には第二空間が連通して設けられ、前記第二空間の頂端には第三空間が設けられ、前記第三空間の頂端には第四空間が連通して設けられ、前記第四空間と前記第二空間との間には回転調節装置が設けられ、前記取付ベースの頂端には吸盤が固定的に設けられ、前記取付ベースの中の前記吸盤の片側には安定器取付ケースが設けられる。
【０００６】
その中、前記ＬＥＤランプ取付モジュールは第一ギヤを含み、前記第一ギヤの中にＬＥＤ電球を置くことができ、前記ＬＥＤ電球の両側には第三スライド溝が対称的に連通して設けられ、前記第三スライド溝が第一ばねと接続され、前記第三スライド溝の中には前記ＬＥＤ電球と当接する第一スライダがスライドできるように設けられ、前記第一ギヤの底端にガラスカバーを取り付けることができ、前記第一ギヤの底端には雌ねじが設けられ、前記ガラスカバーが雄ねじと前記雌ねじとの係合により前記第一ギヤの底端に接続されることができ、前記第一空間の頂端には前記ＬＥＤ電球と係合する押圧スイッチが設けられる。
【０００７】
その中、前記押圧バックル装置は前記第一スライド溝を含み、前記第一スライド溝の中には第二スライダがスライドできるように設けられ、前記第二スライダの一端が前記第一空間の中に挿入され、且つ前記第二スライダには弧形ブロックが固定的に設けられ、前記第二スライダの他端には第一永久磁石が固定的に設けられ、前記第一永久磁石と前記第一スライド溝との間には第二ばねが接続され、前記第二スライダ溝の中には押し棒がスライドできるように設けられ、前記押し棒の底端には前記第一永久磁石と互いに反発し合う第二永久磁石が固定的に設けられ、前記押し棒の片側にはばね復帰機構が設けられる。
【０００８】
好ましくは、前記回転調節装置は前記第二空間を含み、前記第二空間と前記第三空間との間には第一回転軸が回転できるように設けられ、前記第二空間の中の前記第一回転軸には前記第一ギヤと噛み合う第二ギヤが固定的に設けられ、前記第三空間の中の前記第一回転軸にはカムが固定的に設けられ、前記第四空間の内壁の間には抵抗線が固定的に設けられ、前記抵抗線の中にはスライドガイドシートがスライドできるように設けられ、前記スライドガイドシートが前記カムと終始に接触し、前記スライドガイドシートの片側と前記第四空間との間には第三ばねが接続され、前記第四空間の頂面には前記スライドガイドシートと接触する通電接点が固定的に設けられ、前記押圧スイッチと前記通電接点との間には第一通電導線が電気的に接続され、前記抵抗線には第二通電導線が電気的に接続される。
【０００９】
好ましくは、前記安定器取付ケースは前記取付ベースを含み、前記取付ベースの中には上に開口した第五空間が設けられ、前記第五空間の内壁の前後には電気端子が設けられ、前記第五空間の中には安定器を取り付けることができ、前記安定器と前記電気端子との間には第三通電導線が接続され、前記第五空間の片側には第六空間が連通して設けられ、前記第六空間の中には第二回転軸が回転できるように設けられ、前記第二回転軸の外にはケース蓋が固定的に設けられ、前記ケース蓋の末端には第三永久磁石が固定的に設けられ、前記第五空間のもう一側には前記第三永久磁石と互いに引き寄せ合う第四永久磁石が設けられ、前記吸盤の中心のところにはプラグが設けられ、前記プラグが第四通電導線を通じて前記電気端子と前記押圧スイッチとを接続する。
【発明の効果】
【００１０】
以上により、本発明の有益効果は：本発明の展示品照明ＬＥＤランプは運動エネルギー利用率が高く、モジュール化程度が高く、汎用性が高く、適用場面が多い；同時に、本発明装置は操作が簡単で、各機構の係合が緊密で、修理しやすく、使用寿命が長い。
【図面の簡単な説明】
【００１１】
便利しやすいために、本発明は以下の具体的な実施例及び付図により詳しく説明する。
【００１２】
【図１】図１は本発明の展示品照明ＬＥＤランプの全体構成模式図である；
【図２】図２は図１の「Ａ」の拡大構成模式図である；
【図３】図３は図１の「Ｂ」の拡大構成模式図である；
【図４】図４は図１の「Ｃ」の拡大構成模式図である；
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
以下に図１〜４を交えて本発明について詳しく説明する。便利に叙述するために、現在は後文に出る方位を下記の通りに規定する：後文に出る上下左右前後方向は図１本体の投影関係の上下左右前後方向と一致する。
【００１５】
図１〜４が示すように、本発明の展示品照明ＬＥＤランプは取付ベース１０を含み、前記取付ベース１０の中には下に開口した第一空間１６が設けられ、前記第一空間１６の中にＬＥＤランプ取付モジュールを取り付けることができ、前記第一空間１６の両端と前後両側には第一スライド溝１１が連通して設けられ、前記第一スライド溝１１には第二スライド溝２８が上へ貫通して設けられ、前記第二スライド溝２８と前記第一スライド溝１１との間には押圧バックル装置が設けられ、前記第一空間１６の一端には第二空間３０が連通して設けられ、前記第二空間３０の頂端には第三空間４６が設けられ、前記第三空間４６の頂端には第四空間５０が連通して設けられ、前記第四空間５０と前記第二空間３０との間には回転調節装置が設けられ、前記取付ベース１０の頂端には吸盤２１が固定的に設けられ、前記取付ベース１０の中の前記吸盤２１の片側には安定器取付ケースが設けられる。
【００１６】
以下、前記ＬＥＤランプ取付モジュールを実現するための具体的な実現方式を詳しく紹介し、前記ＬＥＤランプ取付モジュールは第一ギヤ３８を含み、前記第一ギヤ３８の中にＬＥＤ電球３７を置くことができ、前記ＬＥＤ電球３７の両側には第三スライド溝３９が対称的に連通して設けられ、前記第三スライド溝３９が第一ばね４０と接続され、前記第三スライド溝３９の中には前記ＬＥＤ電球３７と当接する第一スライダ４１がスライドできるように設けられ、前記第一ギヤ３８の底端にガラスカバー４４を取り付けることができ、前記第一ギヤ３８の底端には雌ねじ４３が設けられ、前記ガラスカバー４４が雄ねじ４２と前記雌ねじ４３との係合により前記第一ギヤ３８の底端に接続されることができ、前記第一空間１６の頂端には前記ＬＥＤ電球３７と係合する押圧スイッチ２６が設けられる。
【００１７】
そして、図１と図２を参照して本出願の前記押圧バックル装置を詳しく紹介し、前記押圧バックル装置は前記第一スライド溝１１を含み、前記第一スライド溝１１の中には第二スライダ１４がスライドできるように設けられ、前記第二スライダ１４の一端が前記第一空間１６の中に挿入され、且つ前記第二スライダ１４には弧形ブロック１５が固定的に設けられ、前記第二スライダ１４の他端には第一永久磁石１３が固定的に設けられ、前記第一永久磁石１３と前記第一スライド溝１１との間には第二ばね１２が接続され、前記第二スライダ溝２８の中には押し棒２４がスライドできるように設けられ、前記押し棒２４の底端には前記第一永久磁石１３と互いに反発し合う第二永久磁石２７が固定的に設けられ、前記押し棒２４の片側にはばね復帰機構２５が設けられる。
【００１８】
有益的には、図２と図４が示すように、前記回転調節装置は前記第二空間３０を含み、前記第二空間３０と前記第三空間４６との間には第一回転軸３１が回転できるように設けられ、前記第二空間３０の中の前記第一回転軸３１には前記第一ギヤ３８と噛み合う第二ギヤ２９が固定的に設けられ、前記第三空間４６の中の前記第一回転軸３１にはカム４５が固定的に設けられ、前記第四空間５０の内壁の間には抵抗線４８が固定的に設けられ、前記抵抗線４８の中にはスライドガイドシート５１がスライドできるように設けられ、前記スライドガイドシート５１が前記カム４５と終始に接触し、前記スライドガイドシート５１の片側と前記第四空間５０との間には第三ばね４７が接続され、前記第四空間５０の頂面には前記スライドガイドシート５１と接触する通電接点５２が固定的に設けられ、前記押圧スイッチ２６と前記通電接点５２との間には第一通電導線５３が電気的に接続され、前記抵抗線４８には第二通電導線４９が電気的に接続される。
【００１９】
有益的には、図１と図２が示すように、前記安定器取付ケースは前記取付ベース１０を含み、前記取付ベース１０の中には上に開口した第五空間１７が設けられ、前記第五空間１７の内壁の前後には電気端子２０が設けられ、前記第五空間１７の中には安定器１８を取り付けることができ、前記安定器１８と前記電気端子２０との間には第三通電導線１９が接続され、前記第五空間１７の片側には第六空間３３が連通して設けられ、前記第六空間３３の中には第二回転軸３４が回転できるように設けられ、前記第二回転軸３４の外にはケース蓋３５が固定的に設けられ、前記ケース蓋３５の末端には第三永久磁石３６が固定的に設けられ、前記第五空間１７のもう一側には前記第三永久磁石３６と互いに引き寄せ合う第四永久磁石３２が設けられ、前記吸盤２１の中心のところにはプラグ２２が設けられ、前記プラグ２２が第四通電導線２３を通じて前記電気端子２０と前記押圧スイッチ２６とを接続する。
【００２０】
以下、出願人は図１〜３及び上記の本出願の展示品照明ＬＥＤランプの具体的な構成を参照して本出願の展示品照明ＬＥＤランプを詳しく紹介する：
【００２１】
まず、初期状態において、前記通電接点５２が前記カム４５と終始当接し、前記第二永久磁石２７が前記第一スライド溝１１の中に挿入されていなく、前記ＬＥＤランプ取付モジュールが前記取付ベース１０の中に装着されていなく、前記安定器取付ケースの中には前記安定器１８が置かれていない。
【００２２】
本発明の展示品照明ＬＥＤランプを取り付ける時、前記安定器１８を前記第五空間１７の中に取り付け、また前記第三通電導線１９を前記電気端子２０に接続し、そして前記ケース蓋３５を閉じ、同時に前記ＬＥＤ電球３７を前記第一ギヤ３８の中に取り付け、前記第一スライダ４１が前記ＬＥＤ電球３７をしっかりと挟んだ後、前記ガラスカバー４４を前記雄ねじ４２の中にねじ込み、この時、前記安定器取付ケースと前記ＬＥＤランプ取付モジュールとの装着が完了する；
【００２３】
そして、前記ＬＥＤランプ取付モジュールを押して前記第一空間１６の中まで送り、また前記取付ベース１０を前記吸盤２１により照明が必要な展示品の上方に吸着させ、前記吸盤２１が天井に吸着した後、前記押し棒２４が押され、前記押し棒２４が下へスライドし、これにより前記第二永久磁石２７を前記第一スライド溝１１の中に入り込ませ、前記第一永久磁石１３と前記第二永久磁石２７とが互いに反発し、前記第一永久磁石１３が前記弧形ブロック１５を連動させて内へ前記ＬＥＤランプ取付モジュールをロックし、この時、前記ＬＥＤランプ取付モジュールを取り出すことができない；
【００２４】
ライトをつけて明かり調節をする時、まず前記ＬＥＤランプ取付モジュールを突っ張り、前記ＬＥＤランプ取付モジュールが前記押圧スイッチ２６を押し、前記押圧スイッチ２６が開け、前記ＬＥＤ電球３７が通電して発光し始め、同時に前記第一ギヤ３８が前記第二ギヤ２９と噛み合い、前記ガラスカバー４４を回転させ、前記ガラスカバー４４が前記第一ギヤ３８を連動させて回転させ、前記第一ギヤ３８が前記第二ギヤ２９を連動させて回転させ、前記第二ギヤ２９が前記カム４５を連動させて回転させ、前記カム４５と前記第三ばね４７との係合により前記スライドガイドシート５１を連動させて前記抵抗線４８の中で往復摺動させ、前記スライドガイドシート５１と前記抵抗線４８とが異なる抵抗を生じ、前記ＬＥＤ電球３７に流れる電流が変化し、前記ＬＥＤ電球３７が色を変え始め、必要な色に変えた後、前記ガラスカバー４４を回転させることを停止し、再び前記ＬＥＤランプ取付モジュールを突っ張ったら前記ＬＥＤ電球３７を消すことができ、前記取付ベース１０を取り外してはじめて前記ＬＥＤランプ取付モジュールを取り外すことができる。
【００２５】
以上により、本発明の展示品照明ＬＥＤランプは運動エネルギー利用率が高く、モジュール化程度が高く、汎用性が高く、適用場面が多い；同時に、本発明装置は操作が簡単で、各機構の係合が緊密で、修理しやすく、使用寿命が長い。
【００２６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020145170.tif 000003
【図２】
2020145170.tif 000004
【図３】
2020145170.tif 000005
【図４】
2020145170.tif 000006
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
取付ベースを含み、前記取付ベースの中には下に開口した第一空間が設けられ、前記第一空間の中にＬＥＤランプ取付モジュールを取り付けることができ、前記第一空間の両端と前後両側には第一スライド溝が連通して設けられ、前記第一スライド溝には第二スライド溝が上へ貫通して設けられ、前記第二スライド溝と前記第一スライド溝との間には押圧バックル装置が設けられ、前記第一空間の一端には第二空間が連通して設けられ、前記第二空間の頂端には第三空間が設けられ、前記第三空間の頂端には第四空間が連通して設けられ、前記第四空間と前記第二空間との間には回転調節装置が設けられ、前記取付ベースの頂端には吸盤が固定的に設けられ、前記取付ベースの中の前記吸盤の片側には安定器取付ケースが設けられており、
ＬＥＤ電球をＬＥＤランプ取付モジュールの中に取り付けることができ、安定器を安定器取付ケースの中に取り付けることができ、ＬＥＤランプ取付モジュールが回転によりＬＥＤ電球の発光を制御し、押圧バックル装置がＬＥＤランプ取付モジュールをロックすることを特徴とする展示品照明ＬＥＤランプ。
【請求項２】
前記ＬＥＤランプ取付モジュールは第一ギヤを含み、前記第一ギヤの中にＬＥＤ電球を置くことができ、前記ＬＥＤ電球の両側には第三スライド溝が対称的に連通して設けられ、前記第三スライド溝が第一ばねと接続され、前記第三スライド溝の中には前記ＬＥＤ電球と当接する第一スライダがスライドできるように設けられ、前記第一ギヤの底端にガラスカバーを取り付けることができ、前記第一ギヤの底端には雌ねじが設けられ、前記ガラスカバーが雄ねじと前記雌ねじとの係合により前記第一ギヤの底端に接続されることができ、前記第一空間の頂端には前記ＬＥＤ電球と係合する押圧スイッチが設けられており、
ＬＥＤ電球を第一ギヤの中心のところに取り付けることができ、且つガラスカバーと係合してＬＥＤランプ取付モジュールを形成し、ＬＥＤランプ取付モジュールが第一空間に置いて押圧スイッチと係合することができることを特徴とする請求項１に記載の展示品照明ＬＥＤランプ。
【請求項３】
前記押圧バックル装置は前記第一スライド溝を含み、前記第一スライド溝の中には第二スライダがスライドできるように設けられ、前記第二スライダの一端が前記第一空間の中に挿入され、且つ前記第二スライダには弧形ブロックが固定的に設けられ、前記第二スライダの他端には第一永久磁石が固定的に設けられ、前記第一永久磁石と前記第一スライド溝との間には第二ばねが接続され、前記第二スライド溝の中には押し棒がスライドできるように設けられ、前記押し棒の底端には前記第一永久磁石と互いに反発し合う第二永久磁石が固定的に設けられ、前記押し棒の片側にはばね復帰機構が設けられることを含み、
取付ベースが天井に吸着する時、押し棒が第一永久磁石と第二永久磁石を連動させて合わせて弧形ブロックを推し、これによりＬＥＤランプ取付モジュールをしっかり引っかからせることを特徴とする請求項１に記載の展示品照明ＬＥＤランプ。
【請求項４】
前記回転調節装置は前記第二空間を含み、前記第二空間と前記第三空間との間には第一回転軸が回転できるように設けられ、前記第二空間の中の前記第一回転軸には前記第一ギヤと噛み合う第二ギヤが固定的に設けられ、前記第三空間の中の前記第一回転軸にはカムが固定的に設けられ、前記第四空間の内壁の間には抵抗線が固定的に設けられ、前記抵抗線の中にはスライドガイドシートがスライドできるように設けられ、前記スライドガイドシートが前記カムと終始に接触し、前記スライドガイドシートの片側と前記第四空間との間には第三ばねが接続され、前記第四空間の頂面には前記スライドガイドシートと接触する通電接点が固定的に設けられ、前記押圧スイッチと前記通電接点との間には第一通電導線が電気的に接続され、前記抵抗線には第二通電導線が電気的に接続されることを含み、
ＬＥＤランプ取付モジュールの装着が完了した後、ガラスカバーを回転させて抵抗線の抵抗値を調節することによりＬＥＤ電球に流れる電流を制御し、これによりＬＥＤ電球の明かりの調節を実現することを特徴とする請求項２に記載の展示品照明ＬＥＤランプ。
【請求項５】
前記安定器取付ケースは前記取付ベースを含み、前記取付ベースの中には上に開口した第五空間が設けられ、前記第五空間の内壁の前後には電気端子が設けられ、前記第五空間の中には安定器を取り付けることができ、前記安定器と前記電気端子との間には第三通電導線が接続され、前記第五空間の片側には第六空間が連通して設けられ、前記第六空間の中には第二回転軸が回転できるように設けられ、前記第二回転軸の外にはケース蓋が固定的に設けられ、前記ケース蓋の末端には第三永久磁石が固定的に設けられ、前記第五空間のもう一側には前記第三永久磁石と互いに引き寄せ合う第四永久磁石が設けられ、前記吸盤の中心のところにはプラグが設けられ、前記プラグが第四通電導線を通じて前記電気端子と前記押圧スイッチとを接続することを含み、
安定器が電気端子に巻きつくことにより電流を安定させる作用を果たし、ケース蓋を閉めると取付ベースとともに天井に固定させることを特徴とする請求項２に記載の展示品照明ＬＥＤランプ。
【手続補正２】
【補正対象書類名】明細書
【補正対象項目名】全文
【補正方法】変更
【補正の内容】
【発明の詳細な説明】
【技術分野】
【０００１】
本発明はＬＥＤランプ分野を取り上げて、具体的には展示品照明ＬＥＤランプである。
【背景技術】
【０００２】
周知のように、芸能人又は商家などが展示品を展示する時はいつも展示ホールを設置することが必要であり、この類の展示ホールは展示品により差別化を図るように設置される必要があり、例えば、異なる明かりの調節など、また展示ホールでよく長時間に複数回の展示を行うことが多いので、固定的なＬＥＤランプを使うと、展示が終わった時に取り外す過程がすごく難しく、またＬＥＤランプを壊す可能性もある。
そのため、展示品照明ＬＥＤランプを設計することにより上記問題を解決することが必要であり、基本展示照明機能を実現するとともに、設備の汎用性が高く、取り外すことに便利である。
【先行技術文献】
【特許文献】
【０００３】
【特許文献１】中国特許出願公開第１０６２８７３７２号明細書
【発明の概要】
【発明が解決しようとする課題】
【０００４】
本発明は展示品照明ＬＥＤランプを提供し、従来技術における上記欠点を解消することを目的とする。
【課題を解決するための手段】
【０００５】
本発明は以下の技術プランにより実現される：  本発明の展示品照明ＬＥＤランプは取付ベースを含み、前記取付ベースの中には下に開口した第一空間が設けられ、前記第一空間の中にＬＥＤランプ取付モジュールを取り付けることができ、前記第一空間の両端と前後両側には第一スライド溝が連通して設けられ、前記第一スライド溝には第二スライド溝が上へ貫通して設けられ、前記第二スライド溝と前記第一スライド溝との間には押圧バックル装置が設けられ、前記第一空間の一端には第二空間が連通して設けられ、前記第二空間の頂端には第三空間が設けられ、前記第三空間の頂端には第四空間が連通して設けられ、前記第四空間と前記第二空間との間には回転調節装置が設けられ、前記取付ベースの頂端には吸盤が固定的に設けられ、前記取付ベースの中の前記吸盤の片側には安定器取付ケースが設けられる。
【０００６】
その中、前記ＬＥＤランプ取付モジュールは第一ギヤを含み、前記第一ギヤの中にＬＥＤ電球を置くことができ、前記ＬＥＤ電球の両側には第三スライド溝が対称的に連通して設けられ、前記第三スライド溝が第一ばねと接続され、前記第三スライド溝の中には前記ＬＥＤ電球と当接する第一スライダがスライドできるように設けられ、前記第一ギヤの底端にガラスカバーを取り付けることができ、前記第一ギヤの底端には雌ねじが設けられ、前記ガラスカバーが雄ねじと前記雌ねじとの係合により前記第一ギヤの底端に接続されることができ、前記第一空間の頂端には前記ＬＥＤ電球と係合する押圧スイッチが設けられる。
【０００７】
その中、前記押圧バックル装置は前記第一スライド溝を含み、前記第一スライド溝の中には第二スライダがスライドできるように設けられ、前記第二スライダの一端が前記第一空間の中に挿入され、且つ前記第二スライダには弧形ブロックが固定的に設けられ、前記第二スライダの他端には第一永久磁石が固定的に設けられ、前記第一永久磁石と前記第一スライド溝との間には第二ばねが接続され、前記第二スライド溝の中には押し棒がスライドできるように設けられ、前記押し棒の底端には前記第一永久磁石と互いに反発し合う第二永久磁石が固定的に設けられ、前記押し棒の片側にはばね復帰機構が設けられる。
【０００８】
好ましくは、前記回転調節装置は前記第二空間を含み、前記第二空間と前記第三空間との間には第一回転軸が回転できるように設けられ、前記第二空間の中の前記第一回転軸には前記第一ギヤと噛み合う第二ギヤが固定的に設けられ、前記第三空間の中の前記第一回転軸にはカムが固定的に設けられ、前記第四空間の内壁の間には抵抗線が固定的に設けられ、前記抵抗線の中にはスライドガイドシートがスライドできるように設けられ、前記スライドガイドシートが前記カムと終始に接触し、前記スライドガイドシートの片側と前記第四空間との間には第三ばねが接続され、前記第四空間の頂面には前記スライドガイドシートと接触する通電接点が固定的に設けられ、前記押圧スイッチと前記通電接点との間には第一通電導線が電気的に接続され、前記抵抗線には第二通電導線が電気的に接続される。
【０００９】
好ましくは、前記安定器取付ケースは前記取付ベースを含み、前記取付ベースの中には上に開口した第五空間が設けられ、前記第五空間の内壁の前後には電気端子が設けられ、前記第五空間の中には安定器を取り付けることができ、前記安定器と前記電気端子との間には第三通電導線が接続され、前記第五空間の片側には第六空間が連通して設けられ、前記第六空間の中には第二回転軸が回転できるように設けられ、前記第二回転軸の外にはケース蓋が固定的に設けられ、前記ケース蓋の末端には第三永久磁石が固定的に設けられ、前記第五空間のもう一側には前記第三永久磁石と互いに引き寄せ合う第四永久磁石が設けられ、前記吸盤の中心のところにはプラグが設けられ、前記プラグが第四通電導線を通じて前記電気端子と前記押圧スイッチとを接続する。
【発明の効果】
【００１０】
以上により、本発明の有益効果は：本発明の展示品照明ＬＥＤランプは運動エネルギー利用率が高く、モジュール化程度が高く、汎用性が高く、適用場面が多い。同時に、本発明装置は操作が簡単で、各機構の係合が緊密で、修理しやすく、使用寿命が長い。
【図面の簡単な説明】
【００１１】
便利しやすいために、本発明は以下の具体的な実施例及び付図により詳しく説明する。
【００１２】
【図１】図１は本発明の展示品照明ＬＥＤランプの全体構成模式図
【図２】図２は図１の「Ａ」の拡大構成模式図
【図３】図３は図１の「Ｂ」の拡大構成模式図
【図４】図４は図１の「Ｃ」の拡大構成模式図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
以下に図１〜４を交えて本発明について詳しく説明する。便利に叙述するために、現在は後文に出る方位を下記の通りに規定する：後文に出る上下左右前後方向は図１本体の投影関係の上下左右前後方向と一致する。
【００１５】
図１〜４が示すように、本発明の展示品照明ＬＥＤランプは取付ベース１０を含み、前記取付ベース１０の中には下に開口した第一空間１６が設けられ、前記第一空間１６の中にＬＥＤランプ取付モジュールを取り付けることができ、前記第一空間１６の両端と前後両側には第一スライド溝１１が連通して設けられ、前記第一スライド溝１１には第二スライド溝２８が上へ貫通して設けられ、前記第二スライド溝２８と前記第一スライド溝１１との間には押圧バックル装置が設けられ、前記第一空間１６の一端には第二空間３０が連通して設けられ、前記第二空間３０の頂端には第三空間４６が設けられ、前記第三空間４６の頂端には第四空間５０が連通して設けられ、前記第四空間５０と前記第二空間３０との間には回転調節装置が設けられ、前記取付ベース１０の頂端には吸盤２１が固定的に設けられ、前記取付ベース１０の中の前記吸盤２１の片側には安定器取付ケースが設けられる。
【００１６】
以下、前記ＬＥＤランプ取付モジュールを実現するための具体的な実現方式を詳しく紹介し、前記ＬＥＤランプ取付モジュールは第一ギヤ３８を含み、前記第一ギヤ３８の中にＬＥＤ電球３７を置くことができ、前記ＬＥＤ電球３７の両側には第三スライド溝３９が対称的に連通して設けられ、前記第三スライド溝３９が第一ばね４０と接続され、前記第三スライド溝３９の中には前記ＬＥＤ電球３７と当接する第一スライダ４１がスライドできるように設けられ、前記第一ギヤ３８の底端にガラスカバー４４を取り付けることができ、前記第一ギヤ３８の底端には雌ねじ４３が設けられ、前記ガラスカバー４４が雄ねじ４２と前記雌ねじ４３との係合により前記第一ギヤ３８の底端に接続されることができ、前記第一空間１６の頂端には前記ＬＥＤ電球３７と係合する押圧スイッチ２６が設けられる。
【００１７】
そして、図１と図２を参照して本出願の前記押圧バックル装置を詳しく紹介し、前記押圧バックル装置は前記第一スライド溝１１を含み、前記第一スライド溝１１の中には第二スライダ１４がスライドできるように設けられ、前記第二スライダ１４の一端が前記第一空間１６の中に挿入され、且つ前記第二スライダ１４には弧形ブロック１５が固定的に設けられ、前記第二スライダ１４の他端には第一永久磁石１３が固定的に設けられ、前記第一永久磁石１３と前記第一スライド溝１１との間には第二ばね１２が接続され、前記第二スライド溝２８の中には押し棒２４がスライドできるように設けられ、前記押し棒２４の底端には前記第一永久磁石１３と互いに反発し合う第二永久磁石２７が固定的に設けられ、前記押し棒２４の片側にはばね復帰機構２５が設けられる。
【００１８】
有益的には、図２と図４が示すように、前記回転調節装置は前記第二空間３０を含み、前記第二空間３０と前記第三空間４６との間には第一回転軸３１が回転できるように設けられ、前記第二空間３０の中の前記第一回転軸３１には前記第一ギヤ３８と噛み合う第二ギヤ２９が固定的に設けられ、前記第三空間４６の中の前記第一回転軸３１にはカム４５が固定的に設けられ、前記第四空間５０の内壁の間には抵抗線４８が固定的に設けられ、前記抵抗線４８の中にはスライドガイドシート５１がスライドできるように設けられ、前記スライドガイドシート５１が前記カム４５と終始に接触し、前記スライドガイドシート５１の片側と前記第四空間５０との間には第三ばね４７が接続され、前記第四空間５０の頂面には前記スライドガイドシート５１と接触する通電接点５２が固定的に設けられ、前記押圧スイッチ２６と前記通電接点５２との間には第一通電導線５３が電気的に接続され、前記抵抗線４８には第二通電導線４９が電気的に接続される。
【００１９】
有益的には、図１と図２が示すように、前記安定器取付ケースは前記取付ベース１０を含み、前記取付ベース１０の中には上に開口した第五空間１７が設けられ、前記第五空間１７の内壁の前後には電気端子２０が設けられ、前記第五空間１７の中には安定器１８を取り付けることができ、前記安定器１８と前記電気端子２０との間には第三通電導線１９が接続され、前記第五空間１７の片側には第六空間３３が連通して設けられ、前記第六空間３３の中には第二回転軸３４が回転できるように設けられ、前記第二回転軸３４の外にはケース蓋３５が固定的に設けられ、前記ケース蓋３５の末端には第三永久磁石３６が固定的に設けられ、前記第五空間１７のもう一側には前記第三永久磁石３６と互いに引き寄せ合う第四永久磁石３２が設けられ、前記吸盤２１の中心のところにはプラグ２２が設けられ、前記プラグ２２が第四通電導線２３を通じて前記電気端子２０と前記押圧スイッチ２６とを接続する。
【００２０】
以下、出願人は図１〜３及び上記の本出願の展示品照明ＬＥＤランプの具体的な構成を参照して本出願の展示品照明ＬＥＤランプを詳しく紹介する：
【００２１】
まず、初期状態において、前記通電接点５２が前記カム４５と終始当接し、前記第二永久磁石２７が前記第一スライド溝１１の中に挿入されていなく、前記ＬＥＤランプ取付モジュールが前記取付ベース１０の中に装着されていなく、前記安定器取付ケースの中には前記安定器１８が置かれていない。
【００２２】
本発明の展示品照明ＬＥＤランプを取り付ける時、前記安定器１８を前記第五空間１７の中に取り付け、また前記第三通電導線１９を前記電気端子２０に接続し、そして前記ケース蓋３５を閉じ、同時に前記ＬＥＤ電球３７を前記第一ギヤ３８の中に取り付け、前記第一スライダ４１が前記ＬＥＤ電球３７をしっかりと挟んだ後、前記ガラスカバー４４を前記雄ねじ４２の中にねじ込み、この時、前記安定器取付ケースと前記ＬＥＤランプ取付モジュールとの装着が完了する。
【００２３】
そして、前記ＬＥＤランプ取付モジュールを押して前記第一空間１６の中まで送り、また前記取付ベース１０を前記吸盤２１により照明が必要な展示品の上方に吸着させ、前記吸盤２１が天井に吸着した後、前記押し棒２４が押され、前記押し棒２４が下へスライドし、これにより前記第二永久磁石２７を前記第一スライド溝１１の中に入り込ませ、前記第一永久磁石１３と前記第二永久磁石２７とが互いに反発し、前記第一永久磁石１３が前記弧形ブロック１５を連動させて内へ前記ＬＥＤランプ取付モジュールをロックし、この時、前記ＬＥＤランプ取付モジュールを取り出すことができない。
【００２４】
ライトをつけて明かり調節をする時、まず前記ＬＥＤランプ取付モジュールを突っ張り、前記ＬＥＤランプ取付モジュールが前記押圧スイッチ２６を押し、前記押圧スイッチ２６が開け、前記ＬＥＤ電球３７が通電して発光し始め、同時に前記第一ギヤ３８が前記第二ギヤ２９と噛み合い、前記ガラスカバー４４を回転させ、前記ガラスカバー４４が前記第一ギヤ３８を連動させて回転させ、前記第一ギヤ３８が前記第二ギヤ２９を連動させて回転させ、前記第二ギヤ２９が前記カム４５を連動させて回転させ、前記カム４５と前記第三ばね４７との係合により前記スライドガイドシート５１を連動させて前記抵抗線４８の中で往復摺動させ、前記スライドガイドシート５１と前記抵抗線４８とが異なる抵抗を生じ、前記ＬＥＤ電球３７に流れる電流が変化し、前記ＬＥＤ電球３７が色を変え始め、必要な色に変えた後、前記ガラスカバー４４を回転させることを停止し、再び前記ＬＥＤランプ取付モジュールを突っ張ったら前記ＬＥＤ電球３７を消すことができ、前記取付ベース１０を取り外してはじめて前記ＬＥＤランプ取付モジュールを取り外すことができる。
【００２５】
以上により、本発明の展示品照明ＬＥＤランプは運動エネルギー利用率が高く、モジュール化程度が高く、汎用性が高く、適用場面が多い。同時に、本発明装置は操作が簡単で、各機構の係合が緊密で、修理しやすく、使用寿命が長い。
【００２６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。